(57)【要約】      （修正有）【課題】設置者に負担をかけることなくランダムなタイルの設置を提供する。【解決手段】モジュラーテキスタイルシステムを作製する方法は、テキスタイルウェブ１１２を複数のフレーム１１４に分割し、各フレームがテキスタイルウェブから形成されることになるカーペットタイル１０２を画定すること、各フレームに印１０８を設けること、及び、テキスタイルウェブを複数のカーペットタイルに形成することを含む。印は、設置物における各カーペットタイルの向きを示す、様々に方向づけられた印及び様々に位置決めされた印のうちの少なくとも一方を含むことができる。【選択図】図１Ｅ
2015062714.tif 000002
【特許請求の範囲】
【請求項１】
モジュラーテキスタイルシステムを作製する方法であって、
テキスタイルウェブを複数のフレームに分割し、前記複数のフレームのそれぞれが前記テキスタイルウェブから形成されることになるカーペットタイルを画定すること、
前記複数のフレームのそれぞれに印を設け、前記印が様々に方向づけされた印及び様々に位置決めされた印のうちの少なくとも一方を含むこと、及び
前記テキスタイルウェブを複数のカーペットタイルに形成すること、
を含む方法。
【請求項２】
前記印は、前記複数のカーペットタイルのそれぞれの設置方向を示すためのものである請求項１に記載の方法。
【請求項３】
前記テキスタイルウェブを複数のフレームに分割することは、前記テキスタイルウェブを複数のタイル幅及びタイル長さに分割することを含む請求項１に記載の方法。
【請求項４】
前記タイル幅及びタイル長さのそれぞれは、前記複数のフレームのうちの１つのフレームを画定する請求項３に記載の方法。
【請求項５】
前記印は、様々に方向づけされた印であり、
前記方法は、複数の向きの値を提供することを更に含み、
前記複数の向きの値のそれぞれは、前記複数のフレームのそれぞれのフレームに印刷されることになる前記印の向きに対応する請求項１に記載の方法。
【請求項６】
前記複数の向きの値を提供することは、前記複数の向きの値をランダムに生成することを含む請求項５に記載の方法。
【請求項７】
前記複数の向きの値を提供することは、前記複数の向きの値を手動で生成することを含む請求項５に記載の方法。
【請求項８】
前記複数の向きの値のそれぞれは、前記印の最初の位置に対する０度、９０度、１８０度又は２７０度の回転に対応する請求項５に記載の方法。
【請求項９】
前記複数のフレームのそれぞれに前記印を設けることは、前記印を、前記複数のフレームのそれぞれの前記向きの値に対応する向きで前記テキスタイルウェブ上に印刷することを含む請求項５に記載の方法。
【請求項１０】
前記印は、方向を指す印を含む請求項５に記載の方法。
【請求項１１】
前記印は、矢印を含む請求項１０に記載の方法。
【請求項１２】
前記印は、様々に位置決めされた印であり、
前記方法は、複数の位置の値を提供することを更に含み、
前記複数の位置の値のそれぞれは、前記複数のフレームのそれぞれのフレームに印刷されることになる前記印の位置に対応する請求項１に記載の方法。
【請求項１３】
前記複数の位置の値を提供することは、前記複数の位置の値をランダムに生成することを含む請求項１２に記載の方法。
【請求項１４】
前記複数の位置の値を提供することは、前記複数の位置の値を手動で生成することを含む請求項１２に記載の方法。
【請求項１５】
前記複数の位置の値のそれぞれは、前記複数のフレームのそれぞれの隅部に対応する請求項１２に記載の方法。
【請求項１６】
前記複数のフレームのそれぞれに前記印を設けることは、前記印を、前記複数のフレームのそれぞれの前記位置の値に対応する位置で前記テキスタイルウェブ上に印刷することを含む請求項１２に記載の方法。
【請求項１７】
前記テキスタイルウェブは、繊維を含む第１の面及び前記第１の面とは反対の第２の面を含み、
前記複数のフレームのそれぞれに前記印を設けることは、前記印を前記テキスタイルウェブの前記第２の面上に印刷することを含む請求項１に記載の方法。
【請求項１８】
複数のカーペットタイルを形成するためのテキスタイルウェブであって、前記テキスタイルウェブから形成される前記カーペットタイルに設けられる複数の印を含み、前記印は、様々に方向づけされた印及び様々に位置決めされた印のうちの少なくとも一方を含み、前記印は、前記印が同様に位置決めされた状態で前記カーペットタイルを配列するためのものであるテキスタイルウェブ。
【請求項１９】
複数のカーペットタイルを含むモジュラーテキスタイルシステムであって、前記カーペットタイルのそれぞれは、縦方向を含み、前記カーペットタイルのそれぞれは、前記タイルを一様に配列するための印を含み、前記印のそれぞれは、前記縦方向に対して様々に方向づけされた印及び様々に位置決めされた印の少なくとも一方を含むモジュラーテキスタイルシステム。
【請求項２０】
複数のカーペットタイルを含むモジュラーテキスタイルシステムであって、前記カーペットタイルのそれぞれは、前記カーペットタイルのそれぞれの複数の隅部のうちの１つに隣接する印を含み、前記印は、前記タイルを一様に配列するためのものであるモジュラーテキスタイルシステム。
【請求項２１】
縁部と縁部が向かい合った関係で配列される複数のカーペットタイルを含むテキスタイル設置物であって、前記複数のカーペットタイルのそれぞれは、印を含み、前記複数のカーペットタイルのそれぞれの前記印は、一様に向けられ、前記印を一様に向けることによってランダムなタイル設置を与えているテキスタイル設置物。
【発明の詳細な説明】
【技術分野】
【０００１】
本開示は、床仕上げ材、例えば、カーペットタイルを作製及び設置する方法に関する。本開示は、また、カーペットタイルシステム及びカーペットタイル設置物に関する。
【０００２】
［関連出願の相互参照］
本願は、２００９年６月１日に出願された米国仮特許出願第６１／１８２，８０７号の利益を主張し、この参照によってその全体が本明細書に援用される。
【背景技術】
【０００３】
テキスタイルタイル、例えば、カーペットタイルは、それらの設置のしやすさから、多くの床仕上げ材用途において用いられてきた。従来から、カーペットタイルは、広幅絨毯の設置の外観を模倣するように設置されてきた。カーペットタイルは、テキスタイルウェブから切り取られるため、一般的に、一枚もののように設置され、すなわちタイルは全て、同じ方向、通常は縦方向に配向される。設置を容易にするために、タイルがどのように配向されるべきかを示すように各タイルの裏側に印、例えば、矢印を印刷することができる。設置者は、矢印が同じ方向を向くように必要に応じて各タイルを単に回転させればよい。
【０００４】
カーペットタイルは、また、タイルを「ランダムに」設置することを可能にする様々なパターン及びデザインを有するようにデザインされてきた。「ランダムな設置」という用語は、本明細書において用いる場合、各タイルを隣接するタイルに対して可変的かつ無差別に配向する設置法を概して指す。例えば、１つの例示的なランダムなタイル設置において、設置者は、第１のタイルを位置決めし、後続のタイルのそれぞれに関しては、前のタイルに対して４つの回転位置（０度、９０度、１８０度又は２７０度）のうちの１つを選択することができる。設置者は、タイルを床面上に配置した後で、その設置を見直し、その特定の設置者の知覚に基づいて、ランダムに敷かれていないように見えるタイルをいずれも配向し直すことが課せられる。あいにく、タイルをこのように再構成することによって、設置の或る程度の真のランダム性が設置者の判断に取って代わられてしまう。さらに、設置者が見てよりランダムな「見た目」を作り出すようにタイルを配向し直すこのステップは、時間がかかるとともに面倒である。
【０００５】
場合によっては、タイルには、設置者がタイルをより「ランダムに」回転させることを助けるために、縦方向を示す矢印が設けられている場合がある。しかし、設置者は、ランダムに、矢印を向けようとすること、それによってタイルをランダムに配向しようとすることに努力を注ぎすぎると、意図的に又は不注意に或る回転パターンを用いてしまう場合があり、それによって結果としてもたらされる設置物が全くランダムになっていない可能性がある。
【発明の概要】
【発明が解決しようとする課題】
【０００６】
したがって、設置者に負担をかけることなく、従来のタイルシステムと比較してより真にランダムな設置を提供する方法及びシステムが必要とされている。
【課題を解決するための手段】
【０００７】
本開示は、概して、カーペットタイル、そのようなタイルを含むモジュラーテキスタイルシステム、及び該モジュラータイルシステムを用いて形成することができるテキスタイルの設置物に関する。本開示は、また、概して、モジュラーテキスタイル、例えば、カーペットタイル、及びテキスタイルウェブ（これからタイルを形成することができる）を作製及び設置する方法に関する。
【０００８】
一態様では、モジュラーテキスタイルシステムのカーペットタイルのそれぞれは、様々に位置決めされた、かつ／又は、様々に方向づけられた印を含む。印の位置及び／又は向きは、ランダムにすることができるか、又は一見したところランダムであるか若しくは可変であるように予め決めておくことができる。カーペットタイルのそれぞれは、印のそれぞれが一様に向けられる（すなわち他の各印に対して同一に向けられ、かつ／又は、同一に位置決めされる）ように設置される。様々に位置決めされた、かつ／又は、様々に方向づけされたタイルを同様に配置することによって、全体的な設置がランダムであるか又は少なくとも一見したところランダムである。
【０００９】
別の態様では、本開示の方法は、体系化された、すなわち、非ランダムな設置法を用いて、ランダムなカーペットタイルの設置物（又は少なくとも一見したところランダムなカーペットタイルの設置物）を形成することを容易にする。そのためには、タイルの敷かれるべき配置を示すために矢印又は他の印を各カーペットタイルの裏側に印刷する。特定のタイル上の印の方向及び／又は配置は、乱数発生器を用いて、又は任意の他の好適な方法を用いて決定することができる。設置者は、タイルを設置するときに、印が全て同様に向けられる（例えば、矢印は、矢じりが同じ方向を指し示すように一方向である）まで、従来の一枚もののような設置と同様の方法で各タイルを回転させる。しかし、印は様々な向き又は位置で印刷されているため、結果として得られるタイル設置物は、様々に配向されたタイルを含む。したがって、印の一方向の配置によって本質的にランダムな設置がもたらされるため、設置者は、ランダムな設置物を形成しようとすることに懸念する必要がない。
【００１０】
方法及びシステムの多くの変形が考えられる。例えば、本方法は、カーペットタイルと関連して説明されるが、他のテキスタイルシステム又は床張り材システム（例えば、硬質表面の床張り材）とともに用いることができ、又は任意の他の好適なやり方で用いることができる。
【００１１】
他の特徴、態様及び実施形態は、以下の説明及び添付の図面から明らかとなるであろう。
【００１２】
説明は、添付の概略図面を参照して行い、これらの概略図面は、いくつかの図を通して同様の参照符号は同様の部分を指す。
【図面の簡単な説明】
【００１３】
【図１Ａ】本開示によるモジュラーテキスタイルシステムを概略的に示す図である。
【図１Ｂ】図１Ａのモジュラーテキスタイルシステムを用いる例示的な設置物を概略的に示す図である。
【図１Ｃ】図１Ａのモジュラーテキスタイルシステムを用いる別の例示的な設置物を概略的に示す図である。
【図１Ｄ】図１Ａのモジュラーテキスタイルシステムを用いるまた別の例示的な設置物を概略的に示す図である。
【図１Ｅ】図１Ａのモジュラーテキスタイルシステムを形成する例示的なプロセスを概略的に示す図である。
【図２】モジュラーテキスタイルシステムを形成する別の例示的なプロセスを概略的に示す図である。
【図３Ａ】本開示による別のモジュラーテキスタイルシステムを概略的に示す図である。
【図３Ｂ】図３Ａのモジュラーテキスタイルシステムを用いる例示的な設置物を概略的に示す図である。
【発明を実施するための形態】
【００１４】
図１Ａは、例示的なモジュラーテキスタイルシステム１００を概略的に示す。モジュラーテキスタイルシステム１００は、複数のテキスタイルタイル１０２（それらのうち１つにのみ符号を付してある）、例えば、カーペットタイルを含み、カーペットタイルのそれぞれは、縦方向ＭＤに延在する第１の対の縁部１０４ａ、１０４ｂと、幅方向ＣＤに延在する第２の対の縁部１０６ａ、１０６ｂを含むため、カーペットタイル１０２は、概ね正方形の形状を有する。しかし、他の形状も考えられる。各タイル１０２は、当業者には理解されるように、繊維を含む第１の面すなわち正面と、裏地を含む第２の面すなわち裏面とを含む。
【００１５】
図１Ａに示されているように、各カーペットタイル１０２の裏面は、縦方向ＭＤ及び幅方向ＣＤに対して様々に方向づけされた印１０８を含む。印１０８の向きは、用途毎に変えることができる。一例では、印１０８は、カーペットタイル１０２の様々な縁部１０４ａ、１０４ｂ、１０６ａ、１０６ｂに対して概ね平行及び／又は垂直になるように縦方向ＭＤに対して０度、９０度、１８０度又は２７０度に向けることができる。別の例では、印１０８は、カーペットタイル１０２の様々な縁部１０４ａ、１０４ｂ、１０６ａ、１０６ｂに対して概ね斜めに（例えばタイルの隅部の方を指し示す）することができる。他の可能性も考えられる。
【００１６】
所望であれば、それぞれ様々に方向づけされた印１０８の向きは、以下で更に説明するように、例えば、乱数発生器を用いてランダムに与えることができる。代替的には、向きは、手動で、又は別様に所定の非ランダムであるが可変の方法で（すなわち一見したところランダムであるように）与えることができる。
【００１７】
印１０８は、印１０８の方向及び／又は向きを用いてカーペットタイル１０２の設置の方向又は向きを示すことができるように、方向を指す印、すなわち、文字、形状、記号、マーク、又は少なくとも１つの対称線に沿って非対称である他の要素を概して含むことができる。この例では、印は、矢印を含む。しかし、図３Ａ及び図３Ｂに関連して以下で更に説明するように、他の可能性も考えられる。
【００１８】
床面の上に設置物を形成するためにカーペットタイル１０２を用いるには、タイル１０２の裏側の印１０８を、一方向に、例えば、矢印１０８が同じ方向を指し示す状態で配置するように各タイル１０２を必要に応じて回転させ、例えば、図１Ｂに示されるように縁部と縁部を互いに向かい合わせた関係で置くことができる（タイル１０２の裏側の矢印１０８は、視界からは隠れており、破線で示されている）。しかし、矢印１０８は、タイル１０２上で様々に方向づけされているため、結果として生じるタイル設置物は様々に配向されたタイルの配置を本質的に含む。タイルは、従来の方法で床面に固定することができる。
【００１９】
いずれのカーペットタイル設置物においても、カーペットタイル１０２の相対位置は、概して、設置者の自由裁量に委ねることができることが理解されるであろう。所望であれば、この「位置のランダム性」すなわち「位置の可変性」は、設置者に、タイル１０２を梱包から取り出すときに設置者個人の好みを考慮することなくタイルを順次位置決めするように指示することによって最低限に抑えることができる。
【００２０】
無数の可能な設置形式すなわち設置様式が考えられることも認識されるであろう。図１Ｂでは、カーペットタイル１０２は、タイルの縁部を互いに位置合わせした状態で一方向のブロック配置で配列されている。図１Ｃでは、カーペットタイル１０２は、一方向の切り石積み配置で配列されている。図１Ｄでは、カーペットタイル１０２は一方向のレンガ配置で配列されている。更なる他の配置も用いることができる。
【００２１】
図１Ｅは、図１Ａのモジュラーテキスタイルシステム１００を形成する例示的なプロセス１１０を概略的に示す。印刷可能な裏地すなわち裏面を有するテキスタイルウェブ１１２を、ウェブ１１２から切り取られるタイル１０２をそれぞれ画定する複数のより小さい領域すなわちフレーム１１４（例えば、切取りフレーム）（破線で概略的に示される）に分割することができる。この例では、テキスタイルウェブ１１２は、幅方向ＣＤに延在するテキスタイルウェブ１１２の幅を横切るタイル幅及びタイル長さをそれぞれ有する３つの実質的に正方形のタイルフレーム１１４を含む。しかし、フレームの他の形状及び数も用いることができる。
【００２２】
各フレーム１１４には、タイルの設置を容易にするように様々に方向づけされた印１０８を設けることができる。上述したように、印の向きは、ランダムにすることができるか、又は一見したところランダムに若しくは可変にすることができる。
【００２３】
例えば、一実施形態では、テキスタイルウェブ１１２が縦方向ＭＤに前進するにつれて、乱数（又は擬似乱数）発生器１１６は、それぞれのタイルフレーム１１４内でテキスタイルウェブ１１２の裏側に印刷されることになる矢印又は他の印１０８の所定の向きを各々表す複数の向きの値を生成することができる。例えば、向きの値は、印刷される印１０８の、ある所定の点に対する０度、９０度、１８０度又は２７０度の回転に対応する整数とすることができる。代替的には、乱数発生器は、０、９０、１８０又は２７０の値から選択するようにプログラミングすることができる。更に代替的には、向きの値は、何らかの他のランダム法又は非ランダム法を用いて手動で又は自動で求めることができる。更なる他の可能性も考えられる。
【００２４】
向きの値を、印刷ユニットすなわちプリンター１１８に送信することができ、該印刷ユニットすなわちプリンター１１８は、この例では、テキスタイルウェブ１１２の裏面に概ね面する独立して動作可能な３つのプリントヘッド１２０を含む。各プリントヘッド１２０は、乱数発生器１１６が提供する向きの値に基づいて、それぞれのフレーム１１４内に印１０８を印刷することができる。
【００２５】
多くの向きの値及び対応する印刷構成が考えられる。１つの特定の例では、１という向きの値は、０度の位置に対応することができ、それによって、矢印は、矢じりがそれぞれのプリントヘッド１２０の方に向いた状態で印刷される。２という向きの値は、０度の位置に対する９０度の回転に対応することができ、それによって、矢印は、矢じりがウェブ１１２の第１の長手方向縁部１２２の方に向いた状態で印刷される。３という向きの値は、０度の位置に対する１８０度の回転に対応することができ、それによって、矢印は、矢じりがそれぞれのプリントヘッド１２０から離れる方に向いた状態で印刷され、４という向きの値は、０度の位置に対する２７０度の回転に対応することができ、それによって、矢印は、矢じりがウェブ１１２の第２の長手方向縁部１２４の方に向いた状態で印刷される。別の例では、矢印は、フレームの隅部に向けて方向付けることができる。無数の他の変形を用いることができる。さらに、矢印がテキスタイル産業において一般的に用いられているが、印は、任意の文字、数、記号、又は印が設置方向を示すのに役立つように他の印と同様に向けることができる他の画像とすることができることが理解されるであろう。
【００２６】
いくつかの実施形態では、各回転を有する等しい数のタイルが特定のウェブから製造されることを確実にすることが望ましい場合がある。一例に従ってそのようにするには、向きの値の所与の総数及び／又はテキスタイルウェブの長さ内で等しい数の向きの値が生成されることを確実にするように、向きの値を生成するために用いられるアルゴリズムを調整することができる。代替的には、アルゴリズムは、特定の値（例えば「１」）を返した後で、その値（例えば「１」）を再び生成する前にその他の値（例えば「２」、「３」及び「４」）を（任意の順で）生成しなければならないことが必要であるものとすることができる。しかし、他の方法も考えられる。
【００２７】
任意の好適な印刷法及び／又は装置を用いてテキスタイルウェブ１１２上に印１０８を印刷することができる。図１Ｅに示される例示的なプロセスでは、プリントヘッド１２０のうちの少なくとも１つをデジタルプリンター（例えばインクジェットプリントヘッド又はドットマトリクスプリントヘッド）とすることができる。図２に概略的に示される別の例示的なプロセス２１０では（適切である場合、同様の参照符号が用いられるが、ただし、「１」の代わりに「２」が用いられる）、少なくとも１つのプリントヘッド２２０を、転写式プリンター（例えば、フレキソ印刷、グラビア印刷等）とすることができる。そのような実施形態では、様々に方向づけされた印２０８を印刷するために、各プリントヘッド２２０を独立して割出回転、枢動又は回転させることができる。無数の他の可能性が考えられる。さらに、１つ又は複数のプリントヘッドをそれぞれが含む任意の数のプリンターを必要又は所望に応じて用いることができることが理解されるであろう。
【００２８】
図１Ｅに戻ると、矢印又はその他の方向を指す印１０８を各タイルフレーム１１４内に印刷した後で、テキスタイルウェブ１１２を切り取り、複数のカーペットタイル１０２を含むモジュラーテキスタイルシステム１００を形成することができる。次いで、タイル１０２は、従来のように加工することができる。いくつかの場合では、タイル１０２は、テキスタイルウェブ１１２の隣接する部分から切り取られたいくつかのタイルを共に梱包することができるように順次梱包することができる。他の場合では、後に梱包するためにタイル１０２を蓄積しておくことができる。そのような場合、タイル１０２は、無差別に、すなわちテキスタイルウェブ１１４上でのそれらの元の位置を考慮することなく梱包され、それによってモジュラーテキスタイルシステム、及び結果としてもたらされる設置物に更なる程度のランダム性を導入することができる。
【００２９】
図３Ａは、図１Ａのシステム１００の例示的な変形を概略的に示す。モジュラーテキスタイルシステム３００は、留意される変形及び当業者が理解するであろう変形を除いて、図１Ａに示されるシステム１００と同様の特徴を含む。簡明化のために、図面において、同様の特徴の参照符号は「１」ではなく「３」で始まる。
【００３０】
この例では、印３０８は、各印３０８がそれぞれのカーペットタイル３０２の縁部３０４ａ、３０４ｂ、３０６ａ、３０６ｂ及び／又は隅部３２６ａ、３２６ｂ、３２６ｃ、３２６ｄのうちの１つに近接するように、文字、記号、マーク、又はカーペットタイルの裏側に様々に位置決めされる他の要素を含む。印３０８は、該印３０８の位置を用いて各タイル３０２の向きを示すことができるため対称又は非対称とすることができる。例えば、例示の実施形態３００では、各印は、各タイル３０２の隅部３２６のうちの１つに隣接して位置決めされる円又はドット３０８を含む。また別の変形（不図示）では、印は、各タイルの縁部のうちの１つに近接する（例えば、それぞれの縁部に対して垂直、平行又は斜めである）線又は他の表示を含むことができる。これによって無数の他の変形が考えられる。
【００３１】
１つの例示的な方法に従ってタイル３０２を設置するには、タイル３０２は、例えば、図３Ｂに示されるように（印３０８は視界からは隠れており、破線で示されている）、印３０８が互いに対して同様に位置決めされるように一方向に配向することができる。
【００３２】
システム３００は、図１Ｅ及び図２と関連して説明したように、又は任意の他の好適なプロセス、装置若しくは技法を用いて作製することができる。しかし、この例では、機械によって又は手動で生成される値は、位置の値と称することができ、それによって、印３０８は、タイルの特定の四分区間に、及び／又は、それぞれのタイルフレーム３１４の特定の隅部に隣接して設けられる。多くの他の可能性が考えられる。
【００３３】
本方法及びシステムは、ランダムなタイル設置物の形成を大幅に簡略化にすることが認識されるであろう。従来のシステムとは異なり、設置者は、タイルの配向の或る程度のばらつきを確実にするためにタイルを互いに対して回転させることに関する複雑な指示を忠実に守る必要がない。さらに、設置者は、従来のランダムなタイルシステムに関連する視覚による自由裁量及び責任を負う必要がない。その代わり、カーペットタイルは、印を一方向の配置で配列するために必要に応じて迅速かつ楽に位置決めすることができる。さらに、本方法及びシステムは、設置者が自身の特定の好みに合わせるように各タイルの配向を変更する自由裁量が与えられていないため、結果としてもたらされる設置物においてより大きな程度のランダム性が確実となる。
【００３４】
上記開示に鑑みて、本発明は、幅広く実用及び応用が可能であることが当業者には容易に理解されるであろう。特定の実施形態又は態様が開示されているが、本開示は、本発明を単に説明及び例示するものであり、本発明の完全かつ実施可能な程度の開示を提供するため及び発明がなされた時点で本発明者らに既知であった発明を実施する最良の形態を記載するために行われているにすぎないことが理解されるであろう。
【００３５】
本発明の実体又は範囲から逸脱せずに、多くの適合形態、変形形態、変更形態、及び均等な配置が本発明及び上記のその詳細な説明から明らかとなるか又は合理的に示唆されるであろう。様々な実施形態を参照して説明した様々な要素を交換して、本発明の範囲内に入る全く新しい実施形態を作り出すことができることが認識されるであろう。したがって、上記説明に含まれているか又は添付図面に示されている事項は全て、単なる説明と解釈されるものとし、本発明のそのような他のいかなる実施形態、適合形態、変形形態、変更形態、及び均等な配置も限定又は他の形で除外する意図はなく、またそのように解釈されてはならない。
【図１Ａ】
2015062714.tif 000003
【図１Ｂ】
2015062714.tif 000004
【図１Ｃ】
2015062714.tif 000005
【図１Ｄ】
2015062714.tif 000006
【図１Ｅ】
2015062714.tif 000007
【図２】
2015062714.tif 000008
【図３Ａ】
2015062714.tif 000009
【図３Ｂ】
2015062714.tif 000010
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
モジュラータイルシステムであって、
前記モジュラータイルシステムは、複数のモジュラータイルからなり、前記複数のモジュラータイルのそれぞれは、正面と裏面とを有し、前記複数のモジュラータイルは、縦方向及び幅方向を有するように形成されており、
前記複数のモジュラータイルのそれぞれの裏面には、印が設けられており、前記印は、ランダムな向きの印及びランダムな位置の印のうちの少なくとも一方を含み、前記ランダムな向きの印は、前記モジュラータイルの前記正面の前記縦方向に対してランダムに向けられており、前記ランダムな位置の印は、前記モジュラータイルにランダムな位置に配置されており、
前記複数のモジュラータイルは、前記複数のモジュラータイルのランダムな向きの印を同じ方向に向けるように、及び／又は前記複数のモジュラータイルのランダムな位置の印を互いに同じ位置に位置決めするように、前記複数のモジュラータイルのそれぞれの前記印が互いに対して同様に配置されて、互いに縁部と縁部を合わせて置いて設置されたときに、設置された前記複数のモジュラータイルが互いにランダムな向きになるように前記複数のモジュラータイルが構成されていることを特徴とするモジュラータイルシステム。
【請求項２】
前記印は、ランダムな向きの印であり、
前記ランダムな向きの印は、前記モジュラータイルの前記縦方向に対して０度、９０度、１８０度又は２７０度回転されていることを特徴とする請求項１に記載のモジュラータイルシステム。
【請求項３】
前記印は、方向を指す印であることを特徴とする請求項２に記載のモジュラータイルシステム。
【請求項４】
前記印は、矢印であることを特徴とする請求項３に記載のモジュラータイルシステム。
【請求項５】
前記印は、ランダムな位置の印であり、
前記ランダムな位置の印は、前記モジュラータイルの隅部に近接して位置決めされていることを特徴とする請求項１に記載のモジュラータイルシステム。
【請求項６】
モジュラータイルシステムであって、
前記モジュラータイルシステムは、テキスタイルウェブから形成された複数のモジュラータイルからなり、前記テキスタイルウェブは、正面と裏面とを有し、前記テキスタイルウェブは、縦方向を有するように形成されており、
前記複数のモジュラータイルは、
前記テキスタイルウェブを複数のフレームに分割して、前記複数のフレームのそれぞれが前記複数のモジュラータイルの一つ一つのモジュラータイルを画定するようにすること、
前記フレーム内の前記テキスタイルウェブの前記裏面に、前記テキスタイルウェブの前記縦方向に対してランダムな向きの印及び／又は前記フレーム内のランダムな位置の印を設けること、及び
前記テキスタイルウェブを切り取って前記複数のフレームにより画定される前記複数のモジュラータイルにすること、
により前記テキスタイルウェブから形成されており、
前記複数のモジュラータイルは、前記複数のモジュラータイルのランダムな向きの印を同じ方向に向けるように、及び／又は前記複数のモジュラータイルのランダムな位置の印を互いに同じ位置に位置決めするように、前記複数のモジュラータイルのそれぞれの前記印が互いに対して同様に配置されて表面に設置したときに、設置された前記複数のモジュラータイルが互いにランダムな向きになるように前記複数のモジュラータイルが構成されていることを特徴とするモジュラータイルシステム。
【請求項７】
前記印は、ランダムな向きの印であり、
前記複数のモジュラータイルは、複数の向きの値を提供することにより前記テキスタイルウェブからさらに形成されており、前記複数の向きの値のそれぞれは、前記複数のフレームのそれぞれのフレームに設けられるべき前記印の向きに対応することを特徴とする請求項６に記載のモジュラータイルシステム。
【請求項８】
前記複数の向きの値を提供することは、乱数発生器を用いて前記複数の向きの値を生成することを含むことを特徴とする請求項７に記載のモジュラータイルシステム。
【請求項９】
前記複数の向きの値を提供することは、前記複数の向きの値を手動で生成することを含むことを特徴とする請求項７に記載のモジュラータイルシステム。
【請求項１０】
前記複数の向きの値のそれぞれは、前記モジュラータイルの前記縦方向に対する前記印の０度、９０度、１８０度又は２７０度の回転に対応することを特徴とする請求項７乃至９のいずれか一項に記載のモジュラータイルシステム。
【請求項１１】
前記印は、方向を指す印であることを特徴とする請求項７乃至１０のいずれか一項に記載のモジュラータイルシステム。
【請求項１２】
前記印は、矢印であることを特徴とする請求項１１に記載のモジュラータイルシステム。
【請求項１３】
前記印は、ランダムな位置の印であり、
前記複数のモジュラータイルは、複数の位置の値を提供することにより前記テキスタイルウェブからさらに形成されており、前記複数の位置の値のそれぞれは、前記複数のフレームのそれぞれのフレームに設けられるべき前記印の位置に対応することを特徴とする請求項６に記載のモジュラータイルシステム。
【請求項１４】
前記複数の位置の値を提供することは、乱数発生器を用いて前記複数の位置の値を生成することを含むことを特徴とする請求項１３に記載のモジュラータイルシステム。
【請求項１５】
前記複数の位置の値を提供することは、前記複数の位置の値を手動で生成することを含むことを特徴とする請求項１３に記載のモジュラータイルシステム。
【請求項１６】
前記複数の位置の値のそれぞれは、前記複数のフレームのそれぞれの隅部に対応することを特徴とする請求項１３乃至１５のいずれか一項に記載のモジュラータイルシステム。
【請求項１７】
モジュラータイルシステムであって、
前記モジュラータイルシステムは、テキスタイルウェブから形成された複数のモジュラータイルからなり、前記複数のモジュラータイル及び前記テキスタイルウェブのそれぞれは、正面と裏面とを有し、前記テキスタイルウェブは、縦方向及び幅方向を有するように形成されており、
前記複数のモジュラータイルは、
前記テキスタイルウェブの複数の領域を画定して、前記複数の領域が前記テキスタイルウェブから形成されるべき前記複数のモジュラータイルを画定するようにすること、
前記領域内の前記テキスタイルウェブの前記裏面に、前記テキスタイルウェブの前記縦方向に対してランダムな向きの印及び／又は前記領域内のランダムな位置の印を設けること、及び
前記テキスタイルウェブを切り取って前記複数の領域により画定される前記複数のモジュラータイルにすること、
により前記テキスタイルウェブから形成されており、
前記複数のモジュラータイルは、前記複数のモジュラータイルの前記印が互いに対して同様に配置されて設置されたときに、設置された前記複数のモジュラータイルが互いにランダムな向きになるように前記複数のモジュラータイルが構成されていることを特徴とするモジュラータイルシステム。
【請求項１８】
前記印は、ランダムな向きの印であり、
前記複数のモジュラータイルは、前記複数の領域に設けられるべき印の複数の向きの値を生成することにより前記テキスタイルウェブからさらに形成されており、前記複数の向きの値のそれぞれは、前記テキスタイルウェブの前記縦方向に対する前記印の０度、９０度、１８０度又は２７０度の回転に対応することを特徴とする請求項１７に記載のモジュラータイルシステム。
【請求項１９】
前記複数の向きの値を生成することは、乱数発生器を用いることを含むことを特徴とする請求項１８に記載のモジュラータイルシステム。
【請求項２０】
前記複数の向きの値を生成することは、前記複数の向きの値を手動で生成することを含むことを特徴とする請求項１８に記載のモジュラータイルシステム。
【請求項２１】
前記印は、方向を指す印であることを特徴とする請求項１８乃至２０のいずれか一項に記載のモジュラータイルシステム。
【請求項２２】
前記印は、矢印であることを特徴とする請求項２１に記載のモジュラータイルシステム。
【請求項２３】
前記印は、ランダムな位置の印であり、
前記複数のモジュラータイルは、複数の位置の値を生成することにより前記テキスタイルウェブからさらに形成されており、前記複数の位置の値のそれぞれは、前記複数の領域のそれぞれの領域に設けられるべき前記印の位置に対応することを特徴とする請求項１７に記載のモジュラータイルシステム。
【請求項２４】
前記複数の位置の値を生成することは、乱数発生器を用いることを含むことを特徴とする請求項２３に記載のモジュラータイルシステム。
【請求項２５】
前記複数の位置の値を生成することは、前記複数の位置の値を手動で生成することを含むことを特徴とする請求項２３に記載のモジュラータイルシステム。
【請求項２６】
前記複数の位置の値のそれぞれは、前記複数の領域のそれぞれの隅部に対応することを特徴とする請求項２３乃至２５のいずれか一項に記載のモジュラータイルシステム。